(57)【要約】【課題】ベッドに仰臥した状態で固定された視認対象位置を見ることを目的とする装置、特に拡大して見る装置を備えたホテル客室を提供すること。【解決手段】ベッドと、ベッド周縁の垂直面に設けられた凹面鏡とを備える。凹面鏡は、ベッドに仰臥した人の目の位置から見て、所定の視認対象位置が拡大されて見える位置及び角度に設けられている。凹面鏡のサイズ、倍率を調整して、視認対称位置から２０ｃｍ程度外れても拡大されて見えるようにする。視認対称位置は、ベッドに仰臥した人の乳房の位置、股間の位置等とする。【選択図】図１
2013079827.tif 000002
【特許請求の範囲】
【請求項１】
ベッドと、該ベッド周縁の垂直面に設けられた凹面鏡とを備え、
前記凹面鏡は、前記ベッドに仰臥した人の目の位置から見て、所定の視認対象位置が拡大されて見える位置に設けられていることを特徴とする、ホテル客室。
【請求項２】
前記凹面鏡は、所定の視認対象位置及びそこから少くとも２０ｃｍ以内の距離の位置が拡大されて見えることを特徴とする、請求項１に記載のホテル客室。
【請求項３】
前記拡大の倍率が１．２〜２．０倍であることを特徴とする、請求項１又は２のいずれか１項に記載のホテル客室。
【請求項４】
前記垂直面の前記凹面鏡の周辺に平面鏡が設けられていることを特徴とする、請求項１〜３のいずれか１項に記載のホテル客室。
【請求項５】
前記視認対象位置は、ベッドに仰臥した人の乳房の位置であることを特徴とする、請求項１〜４のいずれか１項に記載のホテル客室。
【請求項６】
前記視認対象位置は、ベッドに仰臥した人の股間の位置であることを特徴とする、請求項１〜４のいずれか１項に記載のホテル客室。
【発明の詳細な説明】
【技術分野】
【０００１】
本発明は、宿泊客がベッドに仰臥した状態で視認対象物を見るための装置を備えたホテル客室に関するものである。
【背景技術】
【０００２】
ベッドに仰臥した状態で何物かを見たいことは頻繁にある。例えば特許文献１には、仰臥位で書物等の視認対象物を見るための仰臥位視野拡張装置が開示されている。特許文献１の仰臥位視野拡張装置は、視認対象物の位置（視認対象位置）に合わせて鏡パネルの角度を調整するものである。
【０００３】
ホテルにおいて、宿泊客に向けて、ベッドに仰臥した状態で視認対象位置を見るための装置を提供することを検討する。視認対象位置に合わせて調整を行うことは面倒である。ホテルの宿泊客は、病院の入院患者のように装置を継続的に使用する者ではなく、装置の扱いに習熟していないと考えられるからである。
【０００４】
一方、ホテルにおいては、視認対象位置が特定されることも多い。例えば、母親が乳児と共に宿泊する場合、母親の乳房の周辺にある乳児の顔面（表情）を見たく、視認対象位置は母親の乳房の位置である。このように視認対象位置が特定される場合には、鏡を固定位置に設置してもベッドに仰臥した状態で視認対象位置を見ることができる。宿泊客による操作を必要としない。
【０００５】
更に、視認対象物が小さい場合には、凹面鏡を用いて拡大して見ることができれば、より便利である。
しかし、ベッドに仰臥した状態で、操作を必要とせずに、固定された視認対象位置を見ることを目的とする装置、特に拡大して見る装置は、知られていなかった。
【先行技術文献】
【特許文献】
【０００６】
【特許文献１】特開２００１−２９２８３５号公報
【発明の概要】
【発明が解決しようとする課題】
【０００７】
解決しようとする課題は、ベッドに仰臥した状態で固定された視認対象位置を見ることを目的とする装置、特に拡大して見る装置を備えたホテル客室を提供することである。
【課題を解決するための手段】
【０００８】
本発明のホテル客室は、
ベッドと、該ベッド周縁の垂直面に設けられた凹面鏡とを備え、
前記凹面鏡は、前記ベッドに仰臥した人の目の位置から見て、所定の視認対象位置が拡大されて見える位置に設けられていることを特徴とする。
固定された位置の凹面鏡によって、固定された視認対象位置を拡大し見ることができる。
【０００９】
本発明のホテル客室は、
前記凹面鏡は、所定の視認対象位置及びそこから少くとも２０ｃｍ以内の距離の位置が拡大されて見えることを特徴とする。
凹面鏡のサイズ及び拡大倍率によって、視認対象位置の周辺の拡大されて見える範囲を調整することができる。視認対象物（子供の顔等）は動くことがあり、２０ｃｍ程度の動きがあっても拡大されて見えることが好ましい。
また、拡大されて見える範囲が広いことにより、ベッドに仰臥した人の目の位置が動くことにも対応できる。
【００１０】
本発明のホテル客室は、
前記拡大の倍率が１．２〜２．０倍であることを特徴とする。
視認対象物（子供の顔等）は、さほど拡大しなくてもよいことが多い。拡大倍率が大きいと拡大されて見える範囲が狭くなるので、拡大倍率を１．２〜２．０倍程度の小さめの値に調整することが好ましいことが多い。
【００１１】
本発明のホテル客室は、
前記垂直面の前記凹面鏡の周辺に平面鏡が設けられていることを特徴とする。
視認対象物が拡大されて見える範囲を外れて動いてしまった場合に、平面鏡に写り、視認対象物または目の位置を調整することが容易である。
また、ホテル客室の意匠として、平面鏡と凹面鏡の組み合わせは斬新な印象を与える。
【００１２】
本発明のホテル客室は、
前記視認対象位置は、ベッドに仰臥した人の乳房の位置であることを特徴とする。
母親がベッドに仰臥し、乳児の表情を見ることができる。
なお、乳房は左右の２つがあるが、どちらの位置を視認対象位置としてもよい。乳児を母親と凹面鏡の間に寝かせるならば、凹面鏡に近い側の乳房の位置を視認対象位置とすることとなる。
【００１３】
本発明のホテル客室は、
前記視認対象位置は、ベッドに仰臥した人の股間の位置であることを特徴とする。
添い寝している老人の排泄について確認したい場合、腰痛等によりコルセット等の器具を着用している場合、その他ベッドに仰臥した人の股間の位置又はその周辺を視認したい場合が多くある。
【発明の効果】
【００１４】
本発明のホテル客室は、ベッドに仰臥した状態で固定された視認対象位置を見ることが可能になる。視認対象物及び目の位置が動いても、視認対象物を見ることができる。
母親が乳児の表情を見る、乳児の排泄について確認する、或いは、着用しているコルセット等の器具の状態を確認するといった目的を達することができる。
【図面の簡単な説明】
【００１５】
【図１】図１は、ベッドと鏡の配置の例を示す図である。
【図２】図２は、ベッドと鏡の配置の例を示す図である。
【図３】図３は、目の位置、視認対象位置、凹面鏡の配置を示す図である。
【図４】図４は、凹面鏡の作用を示す図である。
【発明を実施するための形態】
【００１６】
以下に、図を参照しつつ実施例について説明する。なお、図面を見やすくするため凹面鏡の凹面の曲率を誇張して表現している。図面と実際の実施形態とは必ずしも一致しない。
【実施例１】
【００１７】
図１は、ベッドと鏡の配置の例を示す図である。ベッド１が設置され、その周縁の壁面が垂直面２である。垂直面２には凹面鏡３及び平面鏡４が設けられている。
図３は、目の位置、視認対象位置、凹面鏡の配置を示す図である。目の位置５は、ベッドに配される枕の位置により定まる。視認対称位置は、乳房の位置であれば位置６ａ、股間の位置であれば位置６ｂとなる。位置６ａ及び６ｂについてはベッドに仰臥した人の体格に依存するが、平均的な体格に基づいて定めることができる。位置６ａ及び６ｂを視認対称位置とする場合、視認対称位置が拡大されて見えるよう、凹面鏡３をそれぞれ３ａ及び３ｂの位置に設置する。また、視認対象物を正立像として見ることができるよう、凹面鏡３の焦点距離はベッドの幅よりも十分に大きい。（図においては凹面を強調するために焦点距離がベッドの幅よりも小さく見えるように凹面鏡３が描かれているが、実際の凹面鏡は、図に描かれたよりも平面に近い形状で焦点距離の大きなものである。）
【００１８】
図４は、凹面鏡の作用を示す図である。図は理解容易性のために平面を対象に描いてあるが、立体についても作用は同様である。
目の位置５と視認対象位置６を結ぶ直線７上の４点、Ａ、Ｂ、Ｘ及びＹは、以下の点である。点Ａ及びＢは、その点からの光（図において破線で示す）が、凹面鏡３と平面鏡４との境界において、平面鏡で反射して目の位置に届く点である。点Ｘ及びＹは、その点からの光（図において一点鎖線で示す）が、凹面鏡３と平面鏡４との境界において、凹面鏡で反射して目の位置に届く点である。
直線７上の点のうち、図においてＡよりも左側の点及びＢよりも右側の点は平面鏡４に写り見ることができる。ＸとＹの間の点は凹面鏡３に写り拡大して見ることができる。ＡとＸの間の点及びＢとＹの間の点は、鏡に写らず見えない。
【００１９】
視認対称位置６を線分ＸＹの中点とし、ＸとＹとの距離が４０ｃｍ以上となるようにすれば、視認対象位置及びそこから２０ｃｍ以内の距離の位置が拡大されて見える。凹面鏡のサイズ及び拡大倍率（図においては一点鎖線の方向に反映されている）を設計してこれを実現する。
凹面鏡３の拡大倍率は、線分ＸＹの長さに対する線分ＡＢの長さの比で表される。一般に凹面鏡の拡大倍率は写る物と凹面鏡の距離に依存するので、厳密には拡大倍率は線分ＸＹ内で変化する。しかし、本発明の目的では線分ＸＹの長さに対する線分ＡＢの長さの比を拡大倍率として問題ない。線分ＸＹ内における拡大倍率の変化はあまり大きくならないからである。
ベッドの幅が１２０ｃｍであり（目の位置が平面鏡の平面より６０ｃｍだけ図の下側にあり）、視認対象位置が股間の位置（目の位置に対し９０ｃｍだけ図の右側の位置）である場合に、凹面鏡３のサイズ（図１で円形に表されており、その円の直径で示される）を６０ｃｍとし、焦点距離を３００ｃｍとした。これにより、ＸとＹとの距離をおよそ４５ｃｍ、拡大倍率をおよそ１．３とした。
視認対称位置が異なる場合にも、凹面鏡３のサイズ及び焦点距離を設計して、ＸとＹとの距離及び拡大倍率を所定の範囲のものとすることができる。
【実施例２】
【００２０】
図２は、ベッドと鏡の配置の例を示す図である。鏡の作用は実施例１と同様である。本実施例は、垂直面２としてベッドの足元側の側板を用いる。図に示すような意匠とすることができる。
また、目の位置、乳房の位置、股間の位置、凹面鏡３の中心がほぼ直線上に配されるので、凹面鏡３のサイズ及び焦点距離を設計して、乳房の位置及び股間の位置の双方を拡大して見ることが、１枚の凹面鏡によって可能となる。ただし、乳房の位置と股間の位置との拡大倍率は異なる。
【産業上の利用可能性】
【００２１】
ベッドに仰臥した状態で固定された視認対象位置を見ることを目的とする装置、特に拡大して見る装置であり、多くのホテルによる活用が期待できる。
【符号の説明】
【００２２】
１    ベッド
２    垂直面
３    凹面鏡
４    平面鏡
５    目の位置
６    視認対称位置
【図１】
2013079827.tif 000003
【図２】
2013079827.tif 000004
【図３】
2013079827.tif 000005
【図４】
2013079827.tif 000006